(57)【要約】【課題】誤って流路が切り替えられることを低減すること。【解決手段】第１の流路（７）と第２の流路（８）を貫通した状態で保持し、操作用の開口部（３６）を有する保持体（２１）と、流路（７，８）が貫通する方向に沿った回転中心を有する被支持部（４２）と、被支持部（４２）の回転に伴って流路（７，８）を閉塞可能な閉塞部（４３，４４）と、被支持部（４２）に設けられ且つ開口部（３６）の内部に配置され、開口部（３６）を通じて外部から挿入された治具（４９）が係合する係合部（４７）を有し、第１の流路（７）を閉塞する位置と、第２の流路（８）を閉塞する位置と、流路（７，８）を開放する位置と、の間で被支持部（４２）を移動させる操作部（４６）と、を備えた流量切替装置（１１）。【選択図】図２
2014226213.tif 000002
【特許請求の範囲】
【請求項１】
薬液が収容された容器に接続されると共に、予め設定された第１の流量の薬液が流れる第１の流路と、前記容器に接続されると共に、予め設定された第２の流量の薬液が流れる第２の流路と、前記第１の流路と前記第２の流路とが合流する合流路と、を有する流路に対して、前記第１の流路を貫通した状態で保持する第１の保持部と、前記第２の流路を貫通した状態で保持する第２の保持部と、操作用の開口部と、を有する保持体と、
前記保持体の内部に収容され且つ前記各流路が貫通する方向に沿った回転中心を中心として回転可能に支持される被支持部と、前記被支持部に設けられて前記被支持部の回転に伴って前記流路に接触して流路を閉塞可能な閉塞部と、を有する切替部材と、
前記被支持部に設けられ、且つ、前記開口部の内部に配置され、前記被支持部を回転方向に操作可能な操作部であって、前記開口部を通じて外部から挿入された治具が係合する係合部を有し、前記閉塞部が前記第１の流路を閉塞する第１の位置と、前記閉塞部が前記第２の流路を閉塞する第２の位置と、前記閉塞部が前記第１の流路および第２の流路を開放する第３の位置と、の間で前記被支持部を移動させる前記操作部と、
を備えたことを特徴とする流量切替装置。
【請求項２】
多角形状の凹部により構成された前記係合部、
を備えたことを特徴とする請求項１に記載の流量切替装置。
【請求項３】
前記被支持部とを接続される面が、前記開口部の外部から内部に向かうに連れて、回転の周方向に傾斜する傾斜面により構成された前記操作部、
を備えたことを特徴とする請求項１または２に記載の流量切替装置。
【発明の詳細な説明】
【技術分野】
【０００１】
本発明は、媒体の流路を切り替える流量切替装置に関する。
【背景技術】
【０００２】
患者に薬液を投与する場合や採血を行う場合等に、薬液の流量や媒体の流れを制御するための機器として、下記の特許文献１、２に記載の技術が従来公知である。
特許文献１としての特開２００１−１２９０８４号公報には、採血を行う際に、サンプル側のチューブ（９）と、採血側のチューブ（１０）とを切り替えるクランプ（１，２１，３１）が記載されている。特許文献１に記載の技術では、ハンドル（１３）を回転させることで、ハンドル（１３）の回転位置に応じて、第１突部（４）または第２突部（５）が、チューブ（９，１０）に接触して閉塞する。特許文献１に記載の技術では、外部に露出するハンドル（１３）を指で摘んで操作することで、両方のチューブ（９，１０）が開放された状態、いずれか一方のチューブ（９，１０）が閉塞された状態、両方のチューブ（９，１０）が閉塞された状態とすることが可能に構成されている。
【０００３】
特許文献２としての特開平９−２２５０２８号公報には、流入路（３）から２つの流路（１８，１９）に分岐する流路分岐部（１５）において、操作栓（２３）を回転させることで、Ｔ字状連通路（２８）の位置を制御して、流入路（３）と２つの流路（１８，１９）との接続、切断を制御して、２つの流路（１８，１９）が合流した先の流出部（４）における流量を制御する技術が記載されている。特許文献２に記載の技術では、流入路（３）と２つの流路（１８，１９）の両方が接続されていない状態と、流入路（３）と２つの流路（１８，１９）のいずれかが接続された状態と、流入路（３）と２つの流路（１８，１９）の両方が接続された状態と、の間で切替可能に構成されている。なお、特許文献２に記載の技術では、外部に突出する六角柱状の操作入力部（３２）に、六角形状の穴が形成されたプレート状の操作工具（３３）、いわゆる、六角レンチを嵌めることで、操作栓（２３）を操作可能に構成されている。
【先行技術文献】
【特許文献】
【０００４】
【特許文献１】特開２００１−１２９０８４号公報（図１、図３〜図５）
【特許文献２】特開平９−２２５０２８号公報（図５、図６、図７）
【発明の概要】
【発明が解決しようとする課題】
【０００５】
特許文献１、２に記載された構成では、流路の止栓を行うハンドルや操作入力部が外部に露出しており、ハンドル等が病室内の器具や見舞いに訪れた人、アクセサリー、カバン等の所持品に触れたり、流量切替装置を落としてしまったりした場合に、誤ってハンドル等が回転してしまう恐れがある。また、幼児等が誤って操作してしまう等の恐れもある。ハンドル等が回転すると、流量が、設定された流量から変化してしまう恐れがある。
【０００６】
本発明は、誤って流路が切り替えられることを低減することを技術的課題とする。
【課題を解決するための手段】
【０００７】
前記技術的課題を解決するために、請求項１に記載の発明の流量切替装置は、
薬液が収容された容器に接続されると共に、予め設定された第１の流量の薬液が流れる第１の流路と、前記容器に接続されると共に、予め設定された第２の流量の薬液が流れる第２の流路と、前記第１の流路と前記第２の流路とが合流する合流路と、を有する流路に対して、前記第１の流路を貫通した状態で保持する第１の保持部と、前記第２の流路を貫通した状態で保持する第２の保持部と、操作用の開口部と、を有する保持体と、
前記保持体の内部に収容され且つ前記各流路が貫通する方向に沿った回転中心を中心として回転可能に支持される被支持部と、前記被支持部に設けられて前記被支持部の回転に伴って前記流路に接触して流路を閉塞可能な閉塞部と、を有する切替部材と、
前記被支持部に設けられ、且つ、前記開口部の内部に配置され、前記被支持部を回転方向に操作可能な操作部であって、前記開口部を通じて外部から挿入された治具が係合する係合部を有し、前記閉塞部が前記第１の流路を閉塞する第１の位置と、前記閉塞部が前記第２の流路を閉塞する第２の位置と、前記閉塞部が前記第１の流路および第２の流路を開放する第３の位置と、の間で前記被支持部を移動させる前記操作部と、
を備えたことを特徴とする。
【０００８】
請求項２に記載の発明は、請求項１に記載の流量切替装置において、
多角形状の凹部により構成された前記係合部、
を備えたことを特徴とする。
【０００９】
請求項３に記載の発明は、請求項１または２に記載の流量切替装置において、
前記被支持部とを接続される面が、前記開口部の外部から内部に向かうに連れて、回転の周方向に傾斜する傾斜面により構成された前記操作部、
を備えたことを特徴とする。
【発明の効果】
【００１０】
請求項１に記載の発明によれば、本発明の構成を有しない場合に比べて、誤って流路が切り替えられることを低減することができる。
請求項２に記載の発明によれば、係合部が多角形状の凹部により構成されていない場合に比べて、文房具等で、流路が誤って切り替えられることを低減できる。
請求項３に記載の発明によれば、傾斜面を有しない場合に比べて、流路が誤って切り替えられることを低減できる。
【図面の簡単な説明】
【００１１】
【図１】図１は実施例１の薬液投与装置の全体説明図である。
【図２】図２は実施例１の流量切替装置の説明図であり、図２Ａは外観図、図２Ｂはカバーが取り外された状態の斜視図である。
【図３】図３は実施例１の流量切替装置の説明図であり、図３Ａは第１の位置に移動した状態の説明図、図３Ｂは第２の位置に移動した状態の説明図、図３Ｃは第３の位置に移動した状態の説明図である。
【図４】図４は実施例１の流量切替装置におけるケースの説明図であり、図４Ａは平面図、図４Ｂは図４ＡのＩＶＢ−ＩＶＢ線断面図である。
【図５】図５は実施例１の切替部材の説明図であり、図５Ａは平面図、図５Ｂは図５Ａの矢印ＶＢ方向から見た図、図５Ｃは図５ＡのＶＣ−ＶＣ線断面図である。
【図６】図６は切替部材の被支持部の内周面と保持体の支持部の外周面との関係の説明図である。
【図７】図７は実施例１の治具の説明図であり、図７Ａは係合部に対応する治具の説明図、図７Ｂは係合部に対応しない治具の説明図である。
【図８】図８は実施例１の蓋体の説明図であり、図８Ａは平面図、図８Ｂは図８Ａの矢印ＶＩＩＩＢ方向から見た図である。
【図９】図９は本発明の実施例２の切替部材の係合部の要部説明図であり、図９Ａは実施例２の切替部の説明図、図９Ｂは実施例２とは異なる形態の切替部の説明図、図９Ｃは実施例２の変更例１の説明図、図９Ｄは実施例２の変更例２の説明図である。
【発明を実施するための形態】
【００１２】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１３】
図１は実施例１の薬液投与装置の全体説明図である。
図１において、実施例１の薬液投与装置１は、薬液の容器の一例としてのポンプ２を有する。ポンプ２の一端部には、ポンプ２内に薬液を充填可能な充填口２ａが形成されている。実施例１では、ポンプ２には、薬液の一例として、手術後の痛み止め用の麻酔液が収容されるが、薬液はこれに限定されず、用途や使用状況等に応じて、任意の薬液を使用可能である。
ポンプ２の他端部には、流路の一例としての供給カテーテル３の一端部が接続されている。供給カテーテル３の途中には、薬液に含まれるエアーや薬液から生じる気泡を除去するフィルター４が配置されている。
【００１４】
供給カテーテル３の他端部には、分岐コネクタ６が接続されている。分岐コネクタ６には、第１の流路の一例としての第１カテーテル７の一端、および、第２の流路の一例としての第２カテーテル８の一端とが接続されている。したがって、分岐コネクタ６は、供給カテーテル３からの薬液を第１カテーテル７および第２カテーテル８に供給可能に接続している。
前記第１カテーテル７の途中には、第１の流量制御部７ａが設けられている。第１の流量制御部７ａは、第１カテーテル７を流れる薬液の流量を制御するものであり、従来公知の市販のものを採用可能であるため、詳細な説明は省略する。実施例２の第２カテーテル８の中には、第２の流量制御部８ａが配置されている。第２の流量制御部８ａも第１の流量制御部７ａと同様に構成されており、詳細な説明は省略する。
【００１５】
なお、実施例１の第１の流量制御部７ａでは、一例として、流量を２［ｍｌ／ｈ］に設定しており、第２の流量制御部８ａは、一例として、流量を１［ｍｌ／ｈ］に設定しているが、これらに限定されず、用途や症状等に応じて、任意の流量とすることが可能である。また、第１カテーテル７の流量と、第２カテーテル８の流量を同一にすることも可能であるし、異なる流量とすることも可能である。
前記各カテーテル７，８には、前記各流量制御部７ａ，８ａに対して、薬液の流動方向の下流側には、流量切替装置の一例としての流量切替装置１１が支持されている。
第１カテーテル７と第２カテーテル８の他端部は、合流コネクタ１６に接続されている。合流コネクタ１６には、合流路の一例としての合流カテーテル１７の一端部が接続されている。合流カテーテル１７の他端部には、薬液を注入する対象者の一例としての患者に導入される導入針１８が支持されている。
【００１６】
（流量切替装置の説明）
図２は実施例１の流量切替装置の説明図であり、図２Ａは外観図、図２Ｂはカバーが取り外された状態の斜視図である。
図３は実施例１の流量切替装置の説明図であり、図３Ａは第１の位置に移動した状態の説明図、図３Ｂは第２の位置に移動した状態の説明図、図３Ｃは第３の位置に移動した状態の説明図である。
図４は実施例１の流量切替装置におけるケースの説明図であり、図４Ａは平面図、図４Ｂは図４ＡのＩＶＢ−ＩＶＢ線断面図である。
【００１７】
図２〜図４において、実施例１の流量切替装置の一例としての流量切替装置１１は、保持体の一例としてのケース２１を有する。ケース２１は、底板２２と、底板２２の上下左右から前方に延びる側壁２３，２４，２５，２６と、を有する。
底板２２の中央部には、支持部の一例として、前方に延びる筒状の軸部３１が形成されている。実施例１の軸部３１の外周面は、円形状ではなく、多角形状に形成されている。また、底板２２には、軸部３１の左側には、第１のケース貫通口３２が形成されており、軸部３１の右側には、第２のケース貫通口３３が形成されている。
また、各側壁２３〜２６の角部には、固定用の穴部３４が形成されている。下側壁２４には、開口部の一例としての操作口３６が形成されている。
左右の側壁２５，２６には、操作口３６側の内壁面から、内側に突出する膨出部３７が形成されている。
【００１８】
図５は実施例１の切替部材の説明図であり、図５Ａは平面図、図５Ｂは図５Ａの矢印ＶＢ方向から見た図、図５Ｃは図５ＡのＶＣ−ＶＣ線断面図である。
図６は切替部材の被支持部の内周面と保持体の支持部の外周面との関係の説明図である。
図２、図３、図５において、前記軸部３１には、切替部材４１が支持されている。切替部材４１は、被支持部の一例としての筒部４２を有する。筒部４２の内周面は、軸部３１の外周に対応して、多角形状に形成されている。図６において、筒部４２の内径は、軸部３１の外径に対して一回り大きく形成されている。したがって、比較的弱い回転力が作用した状態では、軸部３１の多角形の外周の角３１ａが筒部４２の多角形の内周の面４２ａに接触して、筒部４２は軸部３１に対して回転しない。
【００１９】
一方で、外力等で、軸部３１や筒部４２の剛性よりも大きな回転力が作用すると、角３１ａや面４２ａが弾性変形して、切替部材４１は軸部３１に対して回転する。よって、実施例１の切替部材４１は、外力が作用していない状態では回転が規制（ロック）されると共に、外力が作用するとケース２１に対して回転する。したがって、実施例１の切替部材４１は、ケース２１に対して回転可能に支持されている。
図２、図３、図５において、筒部４２の左上部および右上部には、接触部の一例として、第１止栓部４３および第２止栓部４４が形成されている。実施例１の各止栓部４３，４４は、筒部４２の径方向に突出するレバー状に形成されている。
【００２０】
前記筒部４２の下部には、操作部の一例としての切替部４６が形成されている。実施例１の切替部４６は、筒部４２の径方向に突出して形成されており、径方向の外端が、操作口３６よりも外方に突出しない長さに形成されている。また、実施例１の切替部４６は、操作口３６の左右方向の幅よりも狭い横幅に形成されており、切替部４６と操作口３６との隙間には、人の指が入らない程度の隙間が形成されている。
前記切替部４６の左右方向の中央部には、係合部の一例としての切替溝４７が形成されている。実施例１の切替溝４７は、多角形の一例として、切替部４６の外端から内部に向けて凹む四角柱状の凹部により構成されている。
【００２１】
図７は実施例１の治具の説明図であり、図７Ａは係合部に対応する治具の説明図、図７Ｂは係合部に対応しない治具の説明図である。
図７において、実施例１の四角柱状の凹部は、図７Ｂに示すようなボールペンやスタイラスペンのような半球状の先端０１を有する尖端部材０２では、切替溝４７の縁に干渉して、切替溝４７に尖端部材０２の先端０１が嵌らず、図７Ａに示すような四角柱状の尖端４８を有するペン状の治具４９を使用した場合に、切替溝４７と尖端４８とが嵌るように構成されている。なお、実施例１では、治具４９は、医療従事者のように流量の切替、設定を行う担当者のみが所持している。
【００２２】
図８は実施例１の蓋体の説明図であり、図８Ａは平面図、図８Ｂは図８Ａの矢印ＶＩＩＩＢ方向から見た図である。
図２において、前記ケース２１の前方には、蓋体の一例としてのカバー５１が支持されている。図２、図８において、実施例１のカバー５１には、ケース２１の貫通口３２，３３に対応して、第１のカバー貫通口５２および第２のカバー貫通口５３と、が形成されている。
前記第１のケース貫通口３２および第１のカバー貫通口５２により第１カテーテル７を貫通した状態で支持する実施例１の第１の保持部３２＋５２が構成され、第２のケース貫通口３３および第２のカバー貫通口５３により第２カテーテル８を貫通した状態で支持する第２の保持部３３＋５３が構成されている。また、カバー５１には、固定用の穴部３４に対応して、後方に突出する固定用の突部５４が形成されている。実施例１のカバー５１は、固定用の突部５４が固定用の穴部３４に圧入されることで、ケース２１に固定支持される。
【００２３】
（実施例１の作用）
前記構成を備えた実施例１の流量切替装置１１では、図３Ｃに示す第３の位置では、各貫通口３２，３３，５２，５３が貫通しており、この状態で各カテーテル７，８を挿入、貫通させることが可能である。
カテーテル７，８が挿入された状態において、両方のカテーテル７，８から薬液を供給したい場合、図３Ｃに示す状態で保持することで、２つのカテーテル７，８の合計の流量である３［ｍｌ／ｈ］の薬液が、合流カテーテル１７に供給され、患者に導入される。
【００２４】
一方、薬液を１［ｍｌ／ｈ］の流量で供給したい場合、図３Ｃに示す第３の位置から図３Ｂに示す第２の位置に切替部材４１を回転させる。具体的には、治具４９の先端４８を、操作口３６を通じて切替溝４８に嵌めて、切替部材４１を図３Ｃに示す状態から左方に回転させることで、切替部材４１が、図３Ｂに示す第２の位置に移動する。切替部材４１が第２の位置に移動する場合に、切替部材４１の回転に伴って、第２止栓部４４が第２カテーテル８に接触する。したがって、第２止栓部４４と右側の膨出部３７との間で第２カテーテル８が挟まれて変形し、第２カテーテル８が閉塞、止栓される。よって、第２の位置では、第２カテーテル８を薬液が通過できなくなり、合流カテーテル１７には、第１カテーテル７を通じて１［ｍｌ／ｈ］の流量の薬液が供給される。
【００２５】
また、薬液を２［ｍｌ／ｈ］の流量で供給したい場合、図３Ｃに示す第３の位置から図３Ａに示す第１の位置に切替部材４１を回転させる。具体的には、治具４９の先端４８を切替溝４８に嵌めて、切替部材４１を図３Ｃに示す状態から右方に回転させることで、切替部材４１が、図３Ａに示す第１の位置に移動する。切替部材４１が第１の位置に移動する場合に、切替部材４１の回転に伴って、第１止栓部４３が第１カテーテル７に接触する。したがって、第１止栓部４３と左側の膨出部３７との間で第１カテーテル７が挟まれて変形し、第１カテーテル７が閉塞、止栓される。よって、第１の位置では、第１カテーテル７を薬液が通過できなくなり、合流カテーテル１７には、第２カテーテル７を通じて２［ｍｌ／ｈ］の流量の薬液が供給される。
【００２６】
したがって、実施例１の流量切替装置１１では、切替部材４１を回転させることで、カテーテル７，８の閉塞、開放を切り替えることができ、合流カテーテル１７に供給される薬液の流量を切り替えることができる。実施例１では、切替部材４１の外端が操作口３６の内側に収容されており、切替部材４１がケース２１の外部に露出していない。したがって、切替部材４１が誤って医療器具等に接触する恐れが少なく、切替部材４１が誤って回転する恐れが低減されている。
また、切替部材４１の切替溝４７は、治具４９の尖端４８に対応する多角形状に形成されており、ボールペン等の文房具０２で操作しようとしても、切替溝４７に嵌り難くなっている。したがって、幼児等が文房具０２を使用して切替部材４１を操作しようとしても、切替部材４１を回転させる十分な力を作用させにくくなっている。よって、切替部材４１が誤って回転する恐れが低減されている。
【００２７】
また、実施例１の流量切替装置１１では、カテーテル７，８の貫通する方向と、切替部材４１の回転軸に相当する軸部３１が、沿った方向、平行に配置されている。したがって、切替部材４１が回転する際に、止栓部４２，４３は、カテーテル７，８に対して断面方向から接触する。すなわち、カテーテル７，８の長手方向ではなく、交差する方向からカテーテル７，８を押して変形させる。特許文献１に記載の技術のように、カテーテルの長手方向から第１突部、第２突部が接触する構成では、突部がカテーテルに接触する際に、長手方向に沿ってカテーテルを摺擦する。したがって、従来技術では、カテーテルが破損、破断する恐れがある。これに対して、実施例１では、カテーテル７，８に対して断面方向から止栓部４２，４３が接触しており、従来技術に比べて摺擦が少ない。よって、カテーテル７，８の破損等が低減される。
【００２８】
さらに、カテーテルの長手方向から接触する場合、止栓する状態における接触面積が広くなる。これに対して、実施例１では、カテーテル７，８に対して断面方向から止栓部４２，４３が接触しており、接触面積は最小限にすることができる。したがって、カテーテル７，８を変形させて止栓する際に必要な力も少なくてすむ。よって、作業者にとって負担が軽減されるとともに、長手方向に沿って広い面積で止栓する場合に比べて、止栓が不十分になることも低減できる。また、接触する面積が小さいため、流量切替装置１１を付け替える場合に、前回止栓部４２，４３が接触した位置からずらした位置で、止栓部４２，４３をカテーテル７，８に接触させることも容易に行うことが可能であり、同じ位置で繰り返して押さえる場合に比べて、カテーテル７，８の破損等を低減することもできる。
【００２９】
また、実施例１の流量切替装置１１は、カテーテル７，８の外方から止栓部４２，４３が接触して、止栓する。したがって、流量切替装置１１自体は、薬液等の媒体に直接接触しない。特許文献２に記載の技術のように、薬液等に直接接触する弁を有する構成では、消毒や薬液の密封のための追加の構成や追加のコストが必要であったり、漏れだした場合の衛生上のリスクがあるが、実施例１では、これらを抑制できる。
【実施例２】
【００３０】
図９は本発明の実施例２の切替部材の係合部の要部説明図であり、図９Ａは実施例２の切替部の説明図、図９Ｂは実施例２とは異なる形態の切替部の説明図、図９Ｃは実施例２の変更例１の説明図、図９Ｄは実施例２の変更例２の説明図である。
次に本発明の実施例２の説明を行うが、この実施例２の説明において、実施例１の構成要素に対応する構成要素には同一の符号を付して、その詳細な説明を省略する。この実施例２は、下記の点で前記実施例１と相違しているが、他の点では前記実施例１と同様に構成されている。
図９において、実施例２の流量切替装置１１では、切替部４６は、左右両側の傾斜面４６ａが、ケース２１の奥に行くに連れて、周方向の外側に傾斜する面により構成されている。すなわち、切替部４６の筒部４２に接続される傾斜面４６ａは、操作口３６の外部から内部に向かうに連れて、回転の周方向に回転している。
【００３１】
（実施例２の作用）
前記構成を備えた実施例２の流量切替装置１１では、切替部４６の左右両側面４６ａが、奥に行くに連れて周方向外側に傾斜している。図９Ｂに示すように、径方向に沿った側面０６を有する場合、切替溝４７に嵌らない文房具０２でも、側面０６が押されると切替部材４１が回転する場合がある。これに対して、傾斜する側面４６ａを有する実施例２では、側面４６ａに、文房具０２の先端０１を接触させて回転させようとしても、先端０１が側面４６ａに沿って滑って、切替部材４１に回転力を作用させ難くなっている。したがって、誤って切替部材４１が回転されて、流路が切り替えられたり、流量が変更されることが低減されている。
【００３２】
（実施例２の変更例）
なお、実施例１、２では、切替溝４７の形状として、四角形状を例示したが、これに限定されず、例えば、図９Ｃに示すような六角形状の切替溝４７′や、図９Ｄに示すような三角形状の切替溝４７″とすることも可能である。なお、多角形の角が多くなるほど円、球に近づくため、角の数は少ない方が好ましい。
【００３３】
以上、本発明の実施例を詳述したが、本発明は、前記実施例に限定されるものではなく、特許請求の範囲に記載された本発明の要旨の範囲内で、種々の変更を行うことが可能である。
例えば、ケース２１やカバー５１を四角形状の構成としたが、これに限定されず、円形状や他の多角形状等、任意の変更が可能である。
また、カテーテル７，８の流量は、流量制御部７ａ，８ａで制御する構成を例示したが、これに限定されず、例えば、カテーテル７，８の内径を変更することで流量を制御したり、各カテーテル７，８に別のポンプを接続して、ポンプの供給量を制御することで流量を制御する構成とすることも可能である。
【００３４】
さらに、薬液の供給を行う構成を例示したが、これに限定されず、特許文献１に記載の採血のように、流路を切り替える任意の構成に適用可能である。すなわち、流路を切り替えることで、流量を切り替える構成を例示したが、これに限定されず、流量に関わらず、流路の切替を行う際に本発明を使用することが可能である。
また、第１の位置、第２の位置、第３の位置を設ける構成を例示したが、これに限定されず、例えば、第３のカテーテルを閉塞する第４の位置等を追加することも可能である。すなわち、３本以上のカテーテルを貫通させ、３つ以上の止栓部を設ける構成とすることも可能である。
【００３５】
さらに、２つのカテーテルに対応して、２つの止栓部を設ける構成を例示したが、これに限定されず、２つのカテーテルに対して１つの止栓部で閉塞、開放する構成とすることも可能である。
【符号の説明】
【００３６】
２…容器、
３，７，８，１７…流路、
７…第１の流路、
８…第２の流路、
１１…流量切替装置、
１７…合流路、
２１…保持体、
３２＋５２…第１の保持部、
３３＋５３…第２の保持部、
３６…開口部、
４１…切替部材、
４２…被支持部、
４３，４４…閉塞部、
４６…操作部、
４６ａ…傾斜面、
４７，４７′，４７″…係合部、
４９…治具。
【図１】
2014226213.tif 000003
【図２】
2014226213.tif 000004
【図３】
2014226213.tif 000005
【図４】
2014226213.tif 000006
【図５】
2014226213.tif 000007
【図６】
2014226213.tif 000008
【図７】
2014226213.tif 000009
【図８】
2014226213.tif 000010
【図９】
2014226213.tif 000011
【手続補正書】
【提出日】平成25年5月21日(2013.5.21)
【手続補正２】
【補正対象書類名】明細書
【補正対象項目名】０００１
【補正方法】変更
【補正の内容】
【０００１】
本発明は、媒体の流路を切り替える流路の切替装置に関する。
【手続補正３】
【補正対象書類名】明細書
【補正対象項目名】０００７
【補正方法】変更
【補正の内容】
【０００７】
前記技術的課題を解決するために、請求項１に記載の発明の流路の切替装置は、
薬液が収容された容器に接続されると共に、予め設定された第１の流量の薬液が流れる第１の流路と、前記容器に接続されると共に、予め設定された第２の流量の薬液が流れる第２の流路と、前記第１の流路と前記第２の流路とが合流する合流路と、を有する流路に対して、前記第１の流路を貫通した状態で保持する第１の保持部と、前記第２の流路を貫通した状態で保持する第２の保持部と、操作用の開口部と、を有する保持体と、
前記保持体の内部に収容され且つ前記各流路が貫通する方向に沿った回転中心を中心として回転可能に支持される被支持部と、前記被支持部に設けられて前記被支持部の回転に伴って前記流路に接触して流路を閉塞可能な閉塞部と、を有する切替部材と、
前記被支持部に設けられ、且つ、前記開口部の内部に配置され、前記被支持部を回転方向に操作可能な操作部であって、前記開口部を通じて外部から挿入された治具が係合する係合部を有し、前記閉塞部が前記第１の流路を閉塞する第１の位置と、前記閉塞部が前記第２の流路を閉塞する第２の位置と、前記閉塞部が前記第１の流路および第２の流路を開放する第３の位置と、の間で前記被支持部を移動させる前記操作部と、
を備えたことを特徴とする。
【手続補正４】
【補正対象書類名】明細書
【補正対象項目名】０００８
【補正方法】変更
【補正の内容】
【０００８】
請求項２に記載の発明は、請求項１に記載の流路の切替装置において、
多角形状の凹部により構成された前記係合部、
を備えたことを特徴とする。
【手続補正５】
【補正対象書類名】明細書
【補正対象項目名】０００９
【補正方法】変更
【補正の内容】
【０００９】
請求項３に記載の発明は、請求項１または２に記載の流路の切替装置において、
前記被支持部とを接続される面が、前記開口部の外部から内部に向かうに連れて、回転の周方向に傾斜する傾斜面により構成された前記操作部、
を備えたことを特徴とする。
【手続補正６】
【補正対象書類名】明細書
【補正対象項目名】００１５
【補正方法】変更
【補正の内容】
【００１５】
なお、実施例１の第１の流量制御部７ａでは、一例として、流量を２［ｍｌ／ｈ］に設定しており、第２の流量制御部８ａは、一例として、流量を１［ｍｌ／ｈ］に設定しているが、これらに限定されず、用途や症状等に応じて、任意の流量とすることが可能である。また、第１カテーテル７の流量と、第２カテーテル８の流量を同一にすることも可能であるし、異なる流量とすることも可能である。
前記各カテーテル７，８には、前記各流量制御部７ａ，８ａに対して、薬液の流動方向の下流側には、流路の切替装置の一例としての流量切替装置１１が支持されている。
第１カテーテル７と第２カテーテル８の他端部は、合流コネクタ１６に接続されている。合流コネクタ１６には、合流路の一例としての合流カテーテル１７の一端部が接続されている。合流カテーテル１７の他端部には、薬液を注入する対象者の一例としての患者に導入される導入針１８が支持されている。
【手続補正７】
【補正対象書類名】明細書
【補正対象項目名】００１７
【補正方法】変更
【補正の内容】
【００１７】
図２〜図４において、実施例１の流路の切替装置の一例としての流量切替装置１１は、保持体の一例としてのケース２１を有する。ケース２１は、底板２２と、底板２２の上下左右から前方に延びる側壁２３，２４，２５，２６と、を有する。
底板２２の中央部には、支持部の一例として、前方に延びる筒状の軸部３１が形成されている。実施例１の軸部３１の外周面は、円形状ではなく、多角形状に形成されている。また、底板２２には、軸部３１の左側には、第１のケース貫通口３２が形成されており、軸部３１の右側には、第２のケース貫通口３３が形成されている。
また、各側壁２３〜２６の角部には、固定用の穴部３４が形成されている。下側壁２４には、開口部の一例としての操作口３６が形成されている。
左右の側壁２５，２６には、操作口３６側の内壁面から、内側に突出する膨出部３７が形成されている。
【手続補正８】
【補正対象書類名】明細書
【補正対象項目名】００３６
【補正方法】変更
【補正の内容】
【００３６】
２…容器、
３，７，８，１７…流路、
７…第１の流路、
８…第２の流路、
１１…流路の切替装置、
１７…合流路、
２１…保持体、
３２＋５２…第１の保持部、
３３＋５３…第２の保持部、
３６…開口部、
４１…切替部材、
４２…被支持部、
４３，４４…閉塞部、
４６…操作部、
４６ａ…傾斜面、
４７，４７′，４７″…係合部、
４９…治具。
【手続補正９】
【補正対象書類名】特許請求の範囲
【補正対象項目名】全文
【補正方法】変更
【補正の内容】
【特許請求の範囲】
【請求項１】
薬液が収容された容器に接続されると共に、予め設定された第１の流量の薬液が流れる第１の流路と、前記容器に接続されると共に、予め設定された第２の流量の薬液が流れる第２の流路と、前記第１の流路と前記第２の流路とが合流する合流路と、を有する流路に対して、前記第１の流路を貫通した状態で保持する第１の保持部と、前記第２の流路を貫通した状態で保持する第２の保持部と、操作用の開口部と、を有する保持体と、
前記保持体の内部に収容され且つ前記各流路が貫通する方向に沿った回転中心を中心として回転可能に支持される被支持部と、前記被支持部に設けられて前記被支持部の回転に伴って前記流路に接触して流路を閉塞可能な閉塞部と、を有する切替部材と、
前記被支持部に設けられ、且つ、前記開口部の内部に配置され、前記被支持部を回転方向に操作可能な操作部であって、前記開口部を通じて外部から挿入された治具が係合する係合部を有し、前記閉塞部が前記第１の流路を閉塞する第１の位置と、前記閉塞部が前記第２の流路を閉塞する第２の位置と、前記閉塞部が前記第１の流路および第２の流路を開放する第３の位置と、の間で前記被支持部を移動させる前記操作部と、
を備えたことを特徴とする流路の切替装置。
【請求項２】
多角形状の凹部により構成された前記係合部、
を備えたことを特徴とする請求項１に記載の流路の切替装置。
【請求項３】
前記被支持部とを接続される面が、前記開口部の外部から内部に向かうに連れて、回転の周方向に傾斜する傾斜面により構成された前記操作部、
を備えたことを特徴とする請求項１または２に記載の流路の切替装置。